(57)【要約】      （修正有）【課題】所望のタイミングで電線材料などの線材への着脱が可能なマークチューブ、マークチューブ付き線材、線材へのマークチューブの装着方法および取り外し方法を提供する。【解決手段】内側に線材２を挿通するマークチューブ３は、円筒状のシート状部材４を備えている。シート状部材４は、マークチューブ３の周方向Ｄ１で互いに反対側に設けられた第１端５ａおよび第２端５ｂを有する本体領域５と、本体領域５の第１端５ａに接続する第１凹凸領域６と、本体領域５の第２端５ｂに接続する第２凹凸領域７と、を有する。第１凹凸領域６と第２凹凸領域７とが互いに係合している。【選択図】図２
2020087756.tif 000002
【特許請求の範囲】
【請求項１】
内側に線材を挿通するマークチューブであって、
円筒状のシート状部材を備え、
前記シート状部材は、前記マークチューブの周方向で互いに反対側に設けられた第１端および第２端を有する本体領域と、前記本体領域の前記第１端に接続する第１凹凸領域と、前記本体領域の前記第２端に接続する第２凹凸領域と、を有し、
前記第１凹凸領域と前記第２凹凸領域とが互いに係合している
ことを特徴とするマークチューブ。
【請求項２】
前記第１凹凸領域は、前記本体領域から突出する複数の第１凸部と、前記第１凸部の間に設けられた複数の第１凹部と、を有し、
前記第２凹凸領域は、前記本体領域から突出し前記第１凹部に延び入る複数の第２凸部と、前記第２凸部の間に設けられ前記第１凸部が延び入る複数の第２凹部と、を有し、
前記第１凸部は、前記第２凹部を通過して前記本体領域の内側に延び入り、
前記第２凸部は、前記第１凹部を通過して前記本体領域の内側に延び入る
ことを特徴とする請求項１に記載のマークチューブ。
【請求項３】
前記第１凸部の先端および前記第２凸部の先端は、前記本体領域の内周面から離間している
ことを特徴とする請求項２に記載のマークチューブ。
【請求項４】
前記マークチューブの軸線方向に見て前記第１凸部と前記第２凸部とが交差する交差部において、前記マークチューブの外周面に凹みが形成されている
ことを特徴とする請求項２に記載のマークチューブ。
【請求項５】
前記第１凹凸領域と前記第２凹凸領域との間に線材を通過可能な開口を形成可能なように、前記第１凹凸領域および前記第２凹凸領域が弾性変形範囲内で前記本体領域の内側に屈曲可能である
ことを特徴とする請求項１乃至４のいずれか一項に記載のマークチューブ。
【請求項６】
前記第１凹凸領域と前記第２凹凸領域との間に線材を通過可能な開口を形成可能なように、前記第１凹凸領域および前記第２凹凸領域が弾性変形範囲内で前記本体領域の外側に屈曲可能である
ことを特徴とする請求項１乃至５のいずれか一項に記載のマークチューブ。
【請求項７】
請求項２に記載のマークチューブと、
線材と、を備え、
前記マークチューブの内側に前記線材が挿通された状態において、前記本体領域の少なくとも一部、前記第１凸部の少なくとも一部および前記第２凸部の少なくとも一部が前記線材に当接することによって、前記マークチューブは前記線材上に保持されている
ことを特徴とするマークチューブ付き線材。
【請求項８】
請求項２に記載のマークチューブを線材に装着する方法であって、
前記マークチューブの軸線方向に見て前記第１凸部と前記第２凸部とが交差する交差部における前記マークチューブの外周面に、前記線材を押し付ける工程と、
前記線材の押付力によって前記第１凸部および前記第２凸部をそれぞれ前記第２凹部および前記第１凹部から抜き出して前記第１凸部と前記第２凸部とを内側に屈曲させることにより前記第１凸部と前記第２凸部との間に開口を形成しながら、前記線材を、前記開口を通過させる工程と、
前記開口を通過した線材を前記第１凸部および前記第２凸部の内側に配置する工程と、
を備えた
ことを特徴とするマークチューブの装着方法。
【請求項９】
請求項２に記載のマークチューブが装着された線材から前記マークチューブを取り外す方法であって、
前記マークチューブの軸線方向に見て前記第１凸部と前記第２凸部とが交差する交差部における前記マークチューブの内周面に、前記線材を押し付ける工程と、
前記線材の押付力によって前記第１凸部および前記第２凸部を外側に変位させることにより前記第１凸部と前記第２凸部との間に開口を形成しながら、前記線材を、前記開口を通過させる工程と、を備えた
ことを特徴とするマークチューブの取り外し方法。
【発明の詳細な説明】
【技術分野】
【０００１】
本発明の実施の形態は、マークチューブ、マークチューブ付き線材、マークチューブの装着方法およびマークチューブの取り外し方法に関する。
【背景技術】
【０００２】
配電盤等の盤製品に対しては、多種多様の電線材料が接続される。各種電線材料を盤製品の多数の端子に誤配線することなく接続するために、各電線材料には、マークチューブが装着される。特許文献１および２には、電線材料に装着されるマークチューブが開示されている。特許文献１および２に開示されたマークチューブの電線材料への装着は、電線材料の配線前に行われる。すなわち、電線材料をマークチューブの一端側から差し込んでマークチューブに挿通させた後、当該電線材料を上記端子に接続する。また、マークチューブを交換する場合は、電線材料を端子から取り外し、取り外された端部からマークチューブを取り外す。
【先行技術文献】
【特許文献】
【０００３】
【特許文献１】実開昭５９−１６１２１８号公報
【特許文献２】実開平４−３１２１２号公報
【発明の概要】
【発明が解決しようとする課題】
【０００４】
しかしながら、上述したマークチューブは、電線材料の配線前にのみ電線材料に装着可能であり、配線作業の自由度が損なわれていた。このため、マークチューブへのニーズの一つとして、電線材料の配線後にもマークチューブを当該電線材料に装着可能であることがある。また、マークチューブへの他のニーズの一つとして、電線材料の配線後に、当該電線材料を端子から取り外すことなく、マークチューブを交換可能であることがある。
【０００５】
本発明は、このような点を考慮してなされたものであり、所望のタイミングで電線材料などの線材への着脱が可能なマークチューブを提供することを目的とする。また、そのようなマークチューブを備えたマークチューブ付き線材を提供することを目的とする。さらに、線材へのマークチューブの装着方法および取り外し方法を提供することを目的とする。
【課題を解決するための手段】
【０００６】
一実施の形態によるマークチューブは、
内側に線材を挿通するマークチューブであって、
円筒状のシート状部材を備え、
前記シート状部材は、前記マークチューブの周方向で互いに反対側に設けられた第１端および第２端を有する本体領域と、前記本体領域の前記第１端に接続する第１凹凸領域と、前記本体領域の前記第２端に接続する第２凹凸領域と、を有し、
前記第１凹凸領域と前記第２凹凸領域とが互いに係合している。
【０００７】
上記マークチューブにおいて、
前記第１凹凸領域は、前記本体領域から突出する複数の第１凸部と、前記第１凸部の間に設けられた複数の第１凹部と、を有し、
前記第２凹凸領域は、前記本体領域から突出し前記第１凹部に延び入る複数の第２凸部と、前記第２凸部の間に設けられ前記第１凸部が延び入る複数の第２凹部と、を有し、
前記第１凸部は、前記第２凹部を通過して前記本体領域の内側に延び入り、
前記第２凸部は、前記第１凹部を通過して前記本体領域の内側に延び入っていてもよい。
【０００８】
一実施の形態によるマークチューブ付き線材は、
上記マークチューブと、
線材と、を備え、
前記マークチューブの内側に前記線材が挿通された状態において、前記本体領域の少なくとも一部、前記第１凸部の少なくとも一部および前記第２凸部の少なくとも一部が前記線材に当接することによって、前記マークチューブは前記線材上に保持されている。
【０００９】
一実施の形態によるマークチューブの装着方法は、
上記マークチューブを線材に装着する方法であって、
前記マークチューブの軸線方向に見て前記第１凸部と前記第２凸部とが交差する交差部における前記マークチューブの外周面に、前記線材を押し付ける工程と、
前記線材の押付力によって前記第１凸部および前記第２凸部をそれぞれ前記第２凹部および前記第１凹部から抜き出して前記第１凸部と前記第２凸部とを内側に屈曲させることにより前記第１凸部と前記第２凸部との間に開口を形成しながら、前記線材を、前記開口を通過させる工程と、
前記開口を通過した線材を前記第１凸部および前記第２凸部の内側に配置する工程と、
を備えている。
【００１０】
一実施の形態によるマークチューブの取り外し方法は、
上記マークチューブが装着された線材から前記マークチューブを取り外す方法であって、
前記マークチューブの軸線方向に見て前記第１凸部と前記第２凸部とが交差する交差部における前記マークチューブの内周面に、前記線材を押し付ける工程と、
前記線材の押付力によって前記第１凸部および前記第２凸部を外側に変位させることにより前記第１凸部と前記第２凸部との間に開口を形成しながら、前記線材を、前記開口を通過させる工程と、を備えている。
【図面の簡単な説明】
【００１１】
【図１】図１は、本発明の一実施形態によるマークチューブ付き線材を示す斜視図である。
【図２】図２は、図１に示すマークチューブ付き線材の断面図である。
【図３】図３は、図１に示すマークチューブを示す斜視図である。
【図４】図４は、図２に示すマークチューブの展開図である。
【図５】図５は、マークチューブの装着方法を示す図である。
【図６】図６は、マークチューブの取り外し方法を示す図である。
【図７】図７は、図２に対応する図であって、径の異なる様々な線材に装着されたマークチューブを示す断面図である。
【図８】図８は、マークチューブの他の装着方法を示す図である。
【発明を実施するための形態】
【００１２】
以下、本発明によるマークチューブおよびマークチューブ付き線材の実施形態について、添付の図面を参照しながら説明する。図１および図２は、それぞれ、本発明の一実施形態によるマークチューブ付き線材を示す斜視図および断面図である。図２では、図１に示すマークチューブ付き線材の、マークチューブの軸線方向に垂直な断面が示されている。また、図３および図４は、それぞれ、図１および図２に示すマークチューブを示す斜視図および展開図である。
【００１３】
図１において、マークチューブ付き線材1は、線材2と、線材2に装着されたマークチューブ3と、を備えている。線材2は、例えば、配電盤などの盤製品の端子に接続される電線材料である。マークチューブ3は、線材2を内側に挿通することで、当該線材2に装着されている。
【００１４】
マークチューブ3は、図２および図３に示すように、円筒状に湾曲したシート状部材4を備えている。シート状部材4は、弾性変形可能な材料、例えば、軟質ポリ塩化ビニル等の熱可塑性樹脂で形成されている。図２および図４に示すように、シート状部材4は、マークチューブ3の周方向D1で互いに反対側に設けられた第１端5aおよび第２端5bを有する本体領域5と、本体領域5の第１端5aに接続する第１凹凸領域6と、本体領域5の第２端5bに接続する第２凹凸領域7と、を有している。シート状部材4は、図３に示すように、第１凹凸領域6と第２凹凸領域7とが互いに係合することで、円筒状のマークチューブ3を形成している。
【００１５】
図示された例では、第１凹凸領域6は、本体領域5から突出する複数の第１凸部6aと、第１凸部6aの間に設けられた複数の第１凹部6bと、を有している。また、第２凹凸領域7は、本体領域5から突出する複数の第２凸部7aと、第２凸部7aの間に設けられた複数の第２凹部7bと、を有している。第１凸部6aが第２凹部7bに延び入り、第２凸部7aが第１凹部6bに延び入ることで、第１凹凸領域6と第２凹凸領域7とは互いに係合している。
【００１６】
上述したように、シート状部材4は、弾性変形可能な材料で形成されている。そして、第１凹凸領域6および第２凹凸領域7は、弾性変形範囲内で本体領域5の内側に屈曲可能である。これにより、後で参照する図５（ｃ）及び図５（ｄ）に示すように、第１凹凸領域6と第２凹凸領域7との間に、線材2を通過可能な開口Mを形成することができる。また、第１凹凸領域6および第２凹凸領域7は、弾性変形範囲内で本体領域5の外側に屈曲可能である。これにより、後で参照する図６（ｄ）に示すように、第１凹凸領域6と第２凹凸領域7との間に、線材2を通過可能な開口Mを形成することができる。さらに、本体領域5は、弾性変形範囲内で、その内径（内接円の直径）を拡大するように変形可能である。これにより、後で参照する図７に示すように、マークチューブ3は、マークチューブ3に挿通される線材2の外径に応じて、その内径（内接円の直径）を拡大させることができる。
【００１７】
図示された例では、図２および図３によく示されているように、第１凸部6aは、第２凹部7bを通過して本体領域5の内側に延び入っている。また、第２凸部7aは、第１凹部6bを通過して本体領域5の内側に延び入っている。また、第１凸部6aの先端および第２凸部7aの先端は、本体領域5の内周面5sから離間している。これにより、図２に示すように、マークチューブ3の本体領域5の内径（内接円の直径）よりも小さい外径（外接円の直径）を有する線材2上にも、マークチューブ3は保持され得る。この場合、マークチューブ3の内側に線材2が挿通された状態で、本体領域5の少なくとも一部、第１凸部6aの少なくとも一部および第２凸部7aの少なくとも一部が線材2に当接することによって、マークチューブ3は線材2上に保持される。
【００１８】
さらに、図２に示すように、図示された例では、マークチューブ3の軸線Axが延びる方向（以下、「軸線方向」という）D2に見て第１凸部6aと第２凸部7aとが交差する交差部Cにおいて、マークチューブ3の外周面3tに凹みが形成されている。これにより、マークチューブ3を線材2に装着する際に、線材2をマークチューブ3の交差部Cに押し当てることが容易である。
【００１９】
次に、図５を参照して、マークチューブ3を線材2に装着する方法について説明する。まず、図５（ａ）に示すように、線材2を、マークチューブ3の交差部Cの外周面Ctに対面させる。このとき、交差部Cの延びる方向D2を、線材2の延びる方向に一致させる。次に、図５（ｂ）に示すように、線材2を、マークチューブ3の交差部Cの外周面Ctに押し付ける。そして、図５（ｃ）に示すように、線材2の押付力によって、第１凸部6aおよび第２凸部7aを屈曲させる。具体的には、第１凸部6aおよび第２凸部7aを、それぞれ第２凹部7bおよび第１凹部6bから抜き出しながら、本体領域5の内側に屈曲させる。これにより、第１凸部6aと第２凸部7aとの間に、線材2が通過可能な開口Mが形成される。そして、図５（ｄ）に示すように、線材2を、開口Mを通過させる。最後に、図５（ｅ）に示すように、開口Mを通過した線材2を、第１凸部6aおよび第２凸部7aの内側に配置する。図示された例では、第１凸部6aおよび第２凸部7aは、その復元力によって、図５（ｄ）に示す位置から図５（ｅ）に示す位置に変位する。このとき、第１凸部6aが第２凹部7bに入り込み、第２凸部7aが第１凹部6bに入り込んで、開口Mが閉じられる。このとき、本体領域5の周方向D1における中央部と、第１凸部6aの先端と、第２凸部7aの先端とが線材2に当接して、マークチューブ3は線材2上に保持される。
【００２０】
このような装着方法によれば、マークチューブ3を所望のタイミングで線材2に装着することができる。例えば、線材2を盤製品の端子等に接続した後にも、線材2を端子等に接続したまま、マークチューブ3を線材2に装着することができる。これにより、配線作業の自由度が増す。
【００２１】
次に、図６を参照して、マークチューブ3を線材2から取り外す方法について説明する。まず、図６（ａ）に示すようにマークチューブ3に挿通された線材2を、図６（ｂ）に示すように、マークチューブ3の交差部Cの内周面Csに押し付ける。次に、図６（ｃ）および図６（ｄ）に示すように、線材2の押付力によって、第１凸部6aおよび第２凸部7aを屈曲させる。具体的には、第１凸部6aおよび第２凸部7aを、それぞれ第２凹部7bおよび第１凹部6bから抜き出して、本体領域5の外側に変位させる。これにより、第１凸部6aと第２凸部7aとの間に線材2が通過可能な開口Mが形成される。そして、図６（ｄ）および図６（ｅ）に示すように、線材2を、開口Mを通過させる。図示された例では、第１凸部6aおよび第２凸部7aは、その復元力によって、図６（ｄ）に示す位置から図６（ｅ）に示す位置に変位する。このとき、第１凸部6aが第２凹部7bに入り込み、第２凸部7aが第１凹部6bに入り込んで、開口Mが閉じられる。
【００２２】
このような取り外し方法によれば、マークチューブ3を所望のタイミングで線材2から取り外すことができる。例えば、線材2を盤製品の端子等に接続した後にも、線材2を端子等から取り外すことなく、マークチューブ3を当該線材2から取り外すことができる。このことによっても、配線作業の自由度が増す。
【００２３】
なお、上述したように、マークチューブ3を形成するシート状部材4は弾性変形可能であり、マークチューブ3は、マークチューブ3に挿通される線材2の外径に応じて、その内径（内接円の直径）を拡大させることができる。これにより、図７（ａ）〜（ｃ）に示すように、マークチューブ3は、外径の異なる様々な線材2に対して装着され得る。なお、マークチューブ3が線材2に装着された状態において、第１凸部6aおよび第２凸部7aは、それぞれ第２凹部7b内および第１凹部6b内に延び入っていてもよいし、延び入っていなくてもよい。いずれの場合も、本体領域5、第１凸部6aおよび／または第２凸部7aが、その復元力によって線材2に当接し、マークチューブ3は線材2上に保持される。
【００２４】
また、マークチューブ3を線材2に装着する方法は、上述した装着方法に限られない。すなわち、図８に示すように、線材2の先端をマークチューブ3の軸線方向D2の一側端部からマークチューブ3内に挿入することによっても、マークチューブ3を線材2に装着することができる。また、マークチューブ3を線材2から取り外す方法は、上述した取り外し方法に限られない。図８に示すマークチューブ3の装着方法と逆の操作を行うことによっても、マークチューブ3を線材2から取り外すことができる。すなわち、マークチューブ3の軸線方向D2の一側端部から線材2を引き抜くことによっても、マークチューブ3を線材2から取り外すことができる。
【００２５】
このように、本実施の形態によれば、マークチューブ3は、内側に線材2を挿通するマークチューブ3であって、円筒状のシート状部材4を備えている。シート状部材4は、マークチューブ3の周方向D1で互いに反対側に設けられた第１端5aおよび第２端5bを有する本体領域5と、本体領域5の第１端5aに接続する第１凹凸領域6と、本体領域5の第２端5bに接続する第２凹凸領域7と、を有し、第１凹凸領域6と第２凹凸領域7とが互いに係合している。
【００２６】
このようなマークチューブ3によれば、所望のタイミングでマークチューブ3を線材2に着脱することができる。例えば、線材2を盤製品の端子等に接続した後にも、線材2を端子等に接続したまま、マークチューブ3を当該線材2に装着することができる。また、線材2を盤製品の端子等に接続した後にも、線材2を端子等から取り外すことなく、マークチューブ3を当該線材2から取り外すことができる。これにより、配線作業の自由度が増す。
【００２７】
具体的には、第１凹凸領域6は、本体領域5から突出する複数の第１凸部6aと、第１凸部6aの間に設けられた複数の第１凹部6bと、を有している。また、第２凹凸領域7は、本体領域5から突出し第１凹部6bに延び入る複数の第２凸部7aと、第２凸部7aの間に設けられ第１凸部6aが延び入る複数の第２凹部7bと、を有している。そして、第１凸部6aは、第２凹部7bを通過して本体領域5の内側に延び入り、第２凸部7aは、第１凹部6bを通過して本体領域5の内側に延び入っている。
【００２８】
また、本実施の形態によれば、第１凸部6aの先端および第２凸部7aの先端は、本体領域5の内周面5sから離間している。これにより、マークチューブ3の本体領域5の内径（内接円の直径）よりも小さい外径（外接円の直径）を有する線材2上にも、マークチューブ3は保持され得る。
【００２９】
また、本実施の形態によれば、マークチューブ3の軸線方向D2に見て第１凸部6aと第２凸部7aとが交差する交差部Cにおいて、マークチューブ3の外周面3tに凹みが形成されている。これにより、マークチューブ3を線材2に装着する際に、線材2をマークチューブ3の交差部Cに押し当てることが容易である。
【００３０】
また、本実施の形態によれば、第１凹凸領域6と第２凹凸領域7との間に線材2を通過可能な開口Mを形成可能なように、第１凹凸領域6および第２凹凸領域7が弾性変形範囲内で本体領域5の内側に屈曲可能である。これにより、マークチューブ3を所望のタイミングで線材2に装着することができる。例えば、線材2を盤製品の端子等に接続した後にも、線材2を端子等に接続したまま、マークチューブ3を当該線材2に装着することができる。これにより、配線作業の自由度が増す。
【００３１】
また、本実施の形態によれば、第１凹凸領域6と第２凹凸領域7との間に線材2を通過可能な開口Mを形成可能なように、第１凹凸領域6および第２凹凸領域7が弾性変形範囲内で本体領域5の外側に屈曲可能である。これにより、マークチューブ3を所望のタイミングで線材2から取り外すことができる。例えば、線材2を盤製品の端子等に接続した後にも、線材2を端子等から取り外すことなく、マークチューブ3を当該線材2から取り外すことができる。このことによっても、配線作業の自由度が増す。
【００３２】
また、本実施の形態によれば、マークチューブ付き線材1は、上述したマークチューブ3と、線材2と、を備え、マークチューブ3の内側に線材2が挿通された状態において、本体領域5の少なくとも一部、第１凸部6aの少なくとも一部および第２凸部7aの少なくとも一部が線材2に当接することによって、マークチューブ3は線材2上に保持されている。
【００３３】
このようなマークチューブ付き線材1では、マークチューブ3の本体領域5の内径（内接円の直径）よりも小さい外径（外接円の直径）を有する線材2上に、マークチューブ3は保持される。
【００３４】
また、本実施の形態によれば、マークチューブ3の装着方法は、上記マークチューブ3を線材2に装着する方法であって、マークチューブ3の軸線方向D2に見て第１凸部6aと第２凸部7aとが交差する交差部Cにおけるマークチューブ3の外周面Ctに、線材2を押し付ける工程と、線材2の押付力によって第１凸部6aおよび第２凸部7aをそれぞれ第２凹部7bおよび第１凹部6bから抜き出して第１凸部6aと第２凸部7aとを内側に屈曲させることにより第１凸部6aと第２凸部7aとの間に開口Mを形成しながら、線材2を、開口Mを通過させる工程と、開口Mを通過した線材2を第１凸部6aおよび第２凸部7aの内側に配置する工程と、を備えている。
【００３５】
このようなマークチューブ3の装着方法によれば、マークチューブ3を所望のタイミングで線材2に装着することができる。例えば、線材2を盤製品の端子等に接続した後にも、線材2を端子等に接続したまま、マークチューブ3を当該線材2に装着することができる。これにより、配線作業の自由度が増す。
【００３６】
また、本実施の形態によれば、マークチューブ3の取り外し方法は、上記マークチューブ3が装着された線材2からマークチューブ3を取り外す方法であって、マークチューブ3の軸線方向D2に見て第１凸部6aと第２凸部7aとが交差する交差部Cにおけるマークチューブ3の内周面Csに、線材2を押し付ける工程と、線材2の押付力によって第１凸部6aおよび第２凸部7aを外側に変位させることにより第１凸部6aと第２凸部7aとの間に開口Mを形成しながら、線材2を、開口Mを通過させる工程と、を備えている。
【００３７】
このようなマークチューブ3の取り外し方法によれば、マークチューブ3を所望のタイミングで線材2から取り外すことができる。例えば、線材2を盤製品の端子等に接続した後にも、線材2を端子等から取り外すことなく、マークチューブ3を当該線材2から取り外すことができる。これにより、配線作業の自由度が増す。
【００３８】
上述した実施の形態やその変形は、発明の範囲や要旨に含まれるとともに、特許請求の範囲に記載された発明とその均等の範囲に含まれる。また、当然のことながら、本発明の要旨の範囲内で、上述した実施の形態やその変形を、部分的に適宜組み合わせることも可能である。
【符号の説明】
【００３９】
1：マークチューブ付き線材、2：線材、3：マークチューブ、4：シート状部材、5：本体領域、5a：第１端、5b：第２端、6：第１凹凸領域、6a：第１凸部、6b：第１凹部、7：第２凹凸領域、7a：第２凸部、7b：第２凹部、M：開口、C：交差部
【図１】
2020087756.tif 000003
【図２】
2020087756.tif 000004
【図３】
2020087756.tif 000005
【図４】
2020087756.tif 000006
【図５】
2020087756.tif 000007
【図６】
2020087756.tif 000008
【図７】
2020087756.tif 000009
【図８】
2020087756.tif 000010
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
内側に線材を挿通するマークチューブであって、
円筒状のシート状部材を備え、
前記シート状部材は、前記マークチューブの周方向で互いに反対側に設けられた第１端および第２端を有する本体領域と、前記本体領域の前記第１端に接続する第１凹凸領域と、前記本体領域の前記第２端に接続する第２凹凸領域と、を有し、
前記第１凹凸領域と前記第２凹凸領域とが互いに係合しており、
前記シート状部材は、弾性変形可能であり、
前記第１凹凸領域は、前記本体領域から突出する複数の第１凸部と、前記第１凸部の間に設けられた複数の第１凹部と、を有し、
前記第２凹凸領域は、前記本体領域から突出し前記第１凹部に延び入る複数の第２凸部と、前記第２凸部の間に設けられ前記第１凸部が延び入る複数の第２凹部と、を有し、
前記第１凸部は、前記第２凹部を通過して前記本体領域の内側に延び入り、
前記第２凸部は、前記第１凹部を通過して前記本体領域の内側に延び入り、
前記第１凸部の先端および前記第２凸部の先端は、前記本体領域の内周面から離間している
ことを特徴とするマークチューブ。
【請求項２】
前記マークチューブの軸線方向に見て前記第１凸部と前記第２凸部とが交差する交差部において、前記マークチューブの外周面に凹みが形成されている
ことを特徴とする請求項１に記載のマークチューブ。
【請求項３】
前記第１凹凸領域と前記第２凹凸領域との間に線材を通過可能な開口を形成可能なように、前記第１凹凸領域および前記第２凹凸領域が弾性変形範囲内で前記本体領域の内側に屈曲可能である
ことを特徴とする請求項１又は２に記載のマークチューブ。
【請求項４】
前記第１凹凸領域と前記第２凹凸領域との間に線材を通過可能な開口を形成可能なように、前記第１凹凸領域および前記第２凹凸領域が弾性変形範囲内で前記本体領域の外側に屈曲可能である
ことを特徴とする請求項１乃至３のいずれか一項に記載のマークチューブ。
【請求項５】
請求項１に記載のマークチューブと、
線材と、を備え、
前記マークチューブの内側に前記線材が挿通された状態において、前記本体領域の少なくとも一部、前記第１凸部の少なくとも一部および前記第２凸部の少なくとも一部が前記線材に当接することによって、前記マークチューブは前記線材上に保持されている
ことを特徴とするマークチューブ付き線材。
【請求項６】
請求項１に記載のマークチューブを線材に装着する方法であって、
前記マークチューブの軸線方向に見て前記第１凸部と前記第２凸部とが交差する交差部における前記マークチューブの外周面に、前記線材を押し付ける工程と、
前記線材の押付力によって前記第１凸部および前記第２凸部をそれぞれ前記第２凹部および前記第１凹部から抜き出して前記第１凸部と前記第２凸部とを内側に屈曲させることにより前記第１凸部と前記第２凸部との間に開口を形成しながら、前記線材を、前記開口を通過させる工程と、
前記開口を通過した線材を前記第１凸部および前記第２凸部の内側に配置する工程と、を備えた
ことを特徴とするマークチューブの装着方法。
【請求項７】
請求項１に記載のマークチューブが装着された線材から前記マークチューブを取り外す方法であって、
前記マークチューブの軸線方向に見て前記第１凸部と前記第２凸部とが交差する交差部における前記マークチューブの内周面に、前記線材を押し付ける工程と、
前記線材の押付力によって前記第１凸部および前記第２凸部を外側に変位させることにより前記第１凸部と前記第２凸部との間に開口を形成しながら、前記線材を、前記開口を通過させる工程と、を備えた
ことを特徴とするマークチューブの取り外し方法。